(57)【特許請求の範囲】
【請求項１】
柱と柱との間の間柱を横断するよう、ガイド部材を多段に取り付けるとともにその背面に胴縁を取り付け、また上端及び下端のガイド部材をＬ字形断面のものと、中間のガイド部材を逆Ｔ字形断面のものとして、前記各ガイド部材間の表面側にプラスターボードその他の材料から選ばれた下地材を取り付けたことを特徴とする木造住宅の壁下地材固定構造。
【請求項２】
前記Ｌ字形断面および逆Ｔ字形断面のガイド部材は、各柱・間柱間では不連続に形成されていることを特徴とする請求項１記載の木造住宅の壁下地材固定構造。
【請求項３】
（ａ）柱と柱との間の間柱を横断するよう、Ｌ字形断面および逆Ｔ字形断面のガイド部材を多段に取り付ける工程、
（ｂ）ガイド部材の背面に胴縁を取り付ける工程、
（ｃ）上端及び下端のＬ字形断面のガイド部材と、中間の逆Ｔ字形断面のガイド部材との各ガイド部材間の表面側に下地材を取り付ける工程
からなることを特徴とする木造住宅の壁下地材の固定方法。
【請求項４】
（ａ）Ｌ字形断面および逆Ｔ字形断面のガイド部材の背面に、予め前記各柱・間柱間のサイズに加工した胴縁を取り付ける工程、
（ｂ）柱と柱との間の間柱を横断するよう、予め胴縁を取り付けたＬ字形断面および逆Ｔ字形断面のガイド部材を多段に取り付ける工程、
（ｃ）上端及び下端のＬ字形断面のガイド部材と、中間の逆Ｔ字形断面のガイド部材との各ガイド部材間の表面側に下地材を取り付ける工程
からなることを特徴とする木造住宅の壁下地材の固定方法。
【請求項５】
（ａ）Ｌ字形断面および逆Ｔ字形断面のガイド部材の背面に予め前記各柱・間柱間のサイズに加工した胴縁を取り付けるとともに、ガイド部材表面の片側に下地材を取り付ける工程、
（ｂ）柱と柱との間の間柱を横断するよう、予め胴縁および下地材を取り付けたＬ字形断面および逆Ｔ字形断面のガイド部材を多段に取り付ける工程、
（ｃ）前記下地材を前記ガイド部材とともに順次上方向もしくは下方向に設置する工程
からなることを特徴とする木造住宅の壁下地材の固定方法。
【発明の詳細な説明】
【技術分野】
【０００１】
この発明は、木造住宅の壁面にプラスターボードなどの下地材を貼り付ける場合の木造住宅の壁下地材固定構造および木造住宅の壁下地材の固定方法に関する。
【背景技術】
【０００２】
木造住宅の壁面に対してプラスターボードなどの下地材を貼り付ける場合、図３に示すように柱・間柱に、水平に胴縁を渡して下地材の固定を行っている。すなわち、柱１４と各間柱１５の前面に欠け継ぎ孔（欠損）３０を形成して、順次胴縁１８を取り付け、柱１４・間柱１５および胴縁１８によって縦横に形成された升目状の枠体に下地材を隙間なく釘、ビス、ステープル等で固着することにより、下地材を柱１４・間柱１５に固定していた。
【０００３】
そしてこれらの作業は、柱・間柱へ胴縁を取り付けるための墨付けや胴縁の柱・間柱への取付作業などを必要とするため、通常、専門の作業者が施工を行っている。
前記従来の方法の場合、垂直な壁面に対して下地材を貼り付ける作業が困難であるため、熟練した作業者以外の者が貼付作業を行うと、壁面の下地材にズレが生じたり、固着後に下地材が剥がれたりすることが多い。したがって、下地材の貼り付け工事を行う専門業者は、常に熟練工を確保しておく必要がある。
【０００４】
ところで、特開平１０−２１９９７０号公報（特許文献１参照）には、壁体の表面に逆Ｔ字形の固定用補助具の取付部を釘を用いて固定し、固定用補助具の保持部に石材板の下端面を載置するとともに、石材板の裏面を壁体の表面および取付部表面に両面接着シートを用いて固定する壁面材固定構造が示されている。
【０００５】
また、特開平５−３３４６０号公報（特許文献２参照）には、壁面に板材を配し、該板材により壁面被覆を行うとともに、該板材に石材の配設の基準となる水平線を複数本引く第一工程と、前記水平線に合わせて逆Ｔ字形の挟装部材を取り付けるとともに、該挟装部材に沿って石材を横方向に配列させことを交互に行うことにより石材の配設を行う第二工程と、壁側面に長杆を当着するとともに、目地にコーキングを施す第三工程と、により壁面の貼石施工を行う壁面施工方法が示されている。
【特許文献１】特開平１０−２１９９７０号公報
【特許文献２】特開平５−３３４６０号公報
【発明の開示】
【発明が解決しようとする課題】
【０００６】
しかしながら、前記いずれの先行技術（特許文献１及び２）も基本的に石材板の壁面への取付構造に関するものであり、木造住宅の壁面の下地板の固定構造には適用できるものではなかった。
【０００７】
そこで、この発明が解決しようとする課題は、木造住宅の壁下地材の固定作業が簡単であり、外観、耐久性に優れた壁面を形成することができる木造住宅の壁下地材固定構造および木造住宅の壁下地材の固定方法を提供することにある。
【課題を解決するための手段】
【０００８】
前記課題を解決するため、この発明の木造住宅の壁下地材固定構造は、柱と柱との間の間柱を横断するよう、ガイド部材を多段に取り付けるとともにその背面に胴縁を取り付け、また上端及び下端のガイド部材をＬ字形断面のものと、中間のガイド部材を逆Ｔ字形断面のものとして、前記各ガイド部材間の表面側に下地材を取り付けたことを特徴とするものである。
【０００９】
この発明の木造住宅の壁下地材固定構造は、前記Ｌ字形断面および逆Ｔ字形断面のガイド部材は、各柱・間柱間では不連続に形成されていることをも特徴とするものである。
【００１０】
この発明の木造住宅の壁下地材の固定方法は、
（ａ）柱と柱との間の間柱を横断するよう、Ｌ字形断面および逆Ｔ字形断面のガイド部材を多段に取り付ける工程、
（ｂ）ガイド部材の背面に胴縁を取り付ける工程、
（ｃ）上端及び下端のＬ字形断面のガイド部材と、中間の逆Ｔ字形断面のガイド部材との各ガイド部材間の表面側に下地材を取り付ける工程
からなることを特徴とするものである。
【００１１】
この発明の木造住宅の壁下地材の固定方法は、
（ａ）Ｌ字形断面および逆Ｔ字形断面のガイド部材の背面に、予め前記各柱・間柱間のサイズに加工した胴縁を取り付ける工程、
（ｂ）柱と柱との間の間柱を横断するよう、予め胴縁を取り付けたＬ字形断面および逆Ｔ字形断面のガイド部材を多段に取り付ける工程、
（ｃ）上端及び下端のＬ字形断面のガイド部材と、中間の逆Ｔ字形断面のガイド部材との各ガイド部材間の表面側に下地材を取り付ける工程
からなることをも特徴とするものである。
【００１２】
この発明の木造住宅の壁下地材の固定方法は、
（ａ）Ｌ字形断面および逆Ｔ字形断面のガイド部材の背面に予め前記各柱・間柱間のサイズに加工した胴縁を取り付けるとともに、ガイド部材表面の片側に下地材を取り付ける工程、
（ｂ）柱と柱との間の間柱を横断するよう、予め胴縁および下地材を取り付けたＬ字形断面および逆Ｔ字形断面のガイド部材を多段に取り付ける工程、
（ｃ）前記下地材を前記ガイド部材とともに順次上方向もしくは下方向に設置する工程
からなることをも特徴とするものである。
【発明の効果】
【００１３】
この発明により、以下の効果を奏することができる。
（１）柱と柱との間の間柱を横断するよう、Ｌ字形断面および逆Ｔ字形断面のガイド部材を多段に取り付けるとともに胴縁を取り付け、かつ前記各ガイド部材間に下地材を取り付けたことにより、下地材貼付作業が簡略化され、熟練した作業者でなくても外観、耐久性に優れた壁面を形成することができる。
しかも柱・間柱に胴縁を取り付けるための欠け継ぎ孔（欠損）を形成する必要がなく、柱や間柱の強度を保つことができるため、木造住宅の強度を大幅に向上させることができるようになった。
【００１４】
（２）前記Ｌ字形断面および逆Ｔ字形断面のガイド部材を各柱・間柱間で不連続に形成することにより、長尺のガイド部材を取扱う必要がなくなり、下地材貼付作業が簡略化され、熟練した作業者でなくても外観、耐久性に優れた壁面を形成することができる。
（３）また各柱・間柱と胴縁との間に隙間を開けることにより、胴縁の寸法精度を要求されないので組付け作業を大幅にスピードアップすることができる。なお、前記隙間部分の強度は、Ｌ字形断面および逆Ｔ字形断面のガイド部材の各柱・間柱から突出する部分（リブ状）において確実に保つことができる。
【００１５】
（３）前記Ｌ字形断面および逆Ｔ字形断面のガイド部材に取り付ける胴縁は、各柱・間柱間に予め設置されており、これに前記Ｌ字形断面および逆Ｔ字形断面のガイド部材を取り付けている。このため、重量の重い下地材であっても確実に固定することができ、熟練した作業者が不要となる。
【００１６】
（４）前記各柱・間柱間のサイズ胴縁および＼または下地材を、予め前記Ｌ字形断面および逆Ｔ字形断面のガイド部材に取り付けた状態で柱・間柱間に設置するものとなっている。したがって各柱・間柱間の間隔を簡便に位置決めすることができ、下地材貼付作業が簡略化され、熟練した作業者でなくても外観、耐久性に優れた壁面を形成することができる。
【発明を実施するための最良の形態】
【００１７】
以下、この発明の木造住宅の壁下地材固定構造の実施の形態を図面に基いて詳細に説明する。
図１はこの発明の木造住宅の壁下地材固定構造の１実施例を示す斜視図、図２はその要部拡大斜視図、図３は従来の胴縁の組付け方を示す斜視図、図４は壁下地材を固定した状態の拡大断面図、図５は柱と間柱およびガイド部材間に隙間を開けて取付けた状態を示す正面図、図６はこの発明の木造住宅の壁下地材の固定方法の他の実施例を示す斜視図、図７はこの発明の木造住宅の壁下地材の固定方法のさらに別の実施例を示す斜視図である。
【００１８】
この発明の木造住宅の壁下地材固定構造の１実施例を示す図１ないし図４において、壁面１１は、下部の土台１２、上部の桁１３間に柱１４が配置されており、また両側に配置した柱１４間には、複数の間柱１５が所定の間隔で配設されている。そして柱１４と各間柱１５の下部には幅木１６が、また上部には回り縁１７がそれぞれ柱１４と各間柱１５とを横切るように取り付けられている。
従来の胴縁１８の取り付けに際しては、図３に示すように、柱１４と各間柱１５の前面に欠け継ぎ孔３０を形成して、順次胴縁１８を取り付けていた。
この発明では、図２に示すように、柱１４および各間柱１５の上端および下端にはＬ字形断面のガイド部材１９が各胴縁１８上に沿って、またその中間部分には逆Ｔ字形断面のガイド部材２０が各胴縁１８上に沿って、それぞれ柱１４と各間柱１５とを横切るように取り付けられている。この両ガイド部材１９，２０の取付けは、釘やビス、両面粘着テープ等を利用して行なえばよい。
すなわち、柱１４と各間柱１５の前面には欠け継ぎ孔３０は形成されていないので、柱１４および各間柱１５の]強度の低下を防ぐことができる。
【００１９】
各胴縁１８上に沿って配設されたＬ字形断面のガイド部材１９および逆Ｔ字形断面のガイド部材２０間には、プラスターボード等の下地材２１が適宜貼り付けられ、釘やビス、両面粘着テープ等を利用して固定される。
詳しくは、Ｌ字形断面のガイド部材１９および逆Ｔ字形断面のガイド部材２０に、予め柱１４や間柱１５の部位を空けて所定の長さの胴縁１８を所定間隔で取り付けておく。この取付けは、胴縁１８の両端のみを前記ガイド部材の所定位置に取り付けることによって行なえばよい。
【００２０】
このように、予め柱１４や間柱１５の部位を空けて所定の長さの胴縁１８を所定間隔で取り付けた状態で、Ｌ字形断面のガイド部材１９および逆Ｔ字形断面のガイド部材２０を壁面の所定位置の柱１４や間柱１５に取り付ければ、下地材貼付作業が簡略化され、熟練した作業者でなくても外観、耐久性に優れた壁面を形成することができる。図４は組付けが完了した状態の断面図である。
また、工場等における組付加工によって、寸法精度よく下地材２１を壁面に固定することができるため、熟練した作業者でなくても外観、耐久性に優れた壁面を形成することができる。
【００２１】
図５は、予め柱１４や間柱１５と胴縁１８との間に隙間２２を設けた状態で、Ｌ字形断面のガイド部材１９および逆Ｔ字形断面のガイド部材２０を壁面の所定位置の柱１４や間柱１５に取り付けた例を示している。このようにすれば、胴縁１８において厳密な寸法精度を要求されないので組付け作業を大幅にスピードアップすることができる。
なお、前記隙間２２部分の強度は、Ｌ字形断面および逆Ｔ字形断面のガイド部材１９，２０の各柱１４・間柱１５から突出する部分１９’，２０’（リブ状）において確実に保つことができる。
【００２２】
図６はこの発明の木造住宅の壁下地材固定構造の他の実施例を示すもので、Ｌ字形断面のガイド部材１９および逆Ｔ字形断面のガイド部材２０を壁面の所定位置の柱１４や間柱１５に取り付けた状態を示している。その後、柱１４や間柱１５の間に胴縁１８を取り付けてＬ字形断面のガイド部材１９および逆Ｔ字形断面のガイド部材２０に固定する。
もちろん、Ｌ字形断面のガイド部材１９および逆Ｔ字形断面のガイド部材２０の表面に柱１４や間柱１５の取付け位置をマーキングしておけば、組付け作業が省力化でき、したがって下地材貼付作業が簡略化され、熟練した作業者でなくても外観、耐久性に優れた壁面を形成することができる。
また、工場等における加工によって、胴縁１８を寸法精度よく製作することができるため、柱１４や間柱１５間の寸法精度が向上し、熟練した作業者でなくても外観、耐久性に優れた壁面を形成することができる。
なお、この実施例においては柱と間柱およびガイド部材間に隙間を開けない場合を示している。
【００２３】
次に、図１ないし図５を参照して、この発明の木造住宅の壁下地材の固定方法の１実施例について説明する。
本実施例では、Ｌ字形断面のガイド部材３１および逆Ｔ字形断面のガイド部材３２として、各柱１４および間柱１５の間では不連続に形成されたものを利用している。
すなわち、短尺のＬ字形断面のガイド部材３１および逆Ｔ字形断面のガイド部材３２を用意し、これを各柱１４および間柱１５の間に差し渡すように取り付けた上、それぞれの間に下地材２１を貼り付けるのである。
【００２４】
この実施例では、短尺のＬ字形断面のガイド部材３１および逆Ｔ字形断面のガイド部材３２を用いて各柱１４および間柱１５を固定している。
したがって、長尺のガイド部材を利用する場合に比して非常に作業がしやすく、また柱１４や間柱１５の表面を傷つけるおそれがなくなる。
【００２５】
この短尺のＬ字形断面のガイド部材３１および逆Ｔ字形断面のガイド部材３２を用いる場合でも、上記実施例と同様に予めＬ字形断面のガイド部材３１および逆Ｔ字形断面のガイド部材３２に胴縁３３を組み付けて使用したり、Ｌ字形断面のガイド部材３１および逆Ｔ字形断面のガイド部材３２を柱１４や間柱１５に取り付けた上で、各ガイド部材３１，３２に胴縁３３を取り付けることにより使用することができる。
【００２６】
図７は、この発明の木造住宅の壁下地材の固定方法の他の実施例を説明するためのものである。
本実施例では、Ｌ字形断面のガイド部材４１もしくは逆Ｔ字形断面のガイド部材４２に、予め柱１４や間柱１５の部位を空けて所定の長さとした胴縁４３をガイド部材４１もしくはガイド部材４２背面に、また下地材４４をガイド部材４１もしくはガイド部材４２表面にそれぞれ釘やビス、両面粘着テープ等を利用して取り付けておく。図において４５は両面粘着テープである。
次いで、ガイド部材４１もしくはガイド部材４２および胴縁４３を取り付けた下地材４４を上向きもしくは下向きに、かつ前記ガイド部材４１もしくはガイド部材４２を各柱１４および間柱１５の間に差し渡すように取り付けるのである。
【００２７】
この実施例では、ガイド部材４１もしくはガイド部材４２および胴縁４３を取り付けた下地材４４を順次各柱１４および間柱１５に固定している。
したがって、ガイド部材４１もしくはガイド部材４２および胴縁４３を順次各柱１４および間柱１５に固定した上、ガイド部材４１もしくはガイド部材４２の表面側に下地材４４を取り付ける場合に比して、非常に効率的に作業することができるようになる。
【００２８】
上述したところでは、下地材としてプラスターボードを例示したが、コンパネ（コンポジットパネルを意味し、ベニヤ板等が含まれる）やその他の板状素材を用いても良いことはもちろんである。
【産業上の利用可能性】
【００２９】
この発明の木造住宅の壁下地材固定構造および木造住宅の壁下地材の固定方法は以上のように構成しているので、木造住宅の壁面や天井、床面等の各部位への下地材の固定に利用することができる。
また、本発明の趣旨を逸脱しない範囲で、木造住宅以外の住宅にも適用できることはいうまでもない。
【図面の簡単な説明】
【００３０】
【図１】この発明の木造住宅の壁下地材固定構造の１実施例を示す斜視図である。
【図２】その要部拡大斜視図である。
【図３】従来の胴縁の組付け方を示す斜視図である。
【図４】壁下地材を固定した状態の拡大断面図である。
【図５】柱と間柱およびガイド部材間に隙間を開けて取付けた状態を示す正面図である。
【図６】この発明の木造住宅の壁下地材の固定方法の他の実施例を示す斜視図である。
【図７】この発明の木造住宅の壁下地材の固定方法のさらに別の実施例を示す斜視図である。
【符号の説明】
【００３１】
１１  壁面
１２  土台
１３  桁
１４  柱
１５  間柱
１６  幅木
１７  回り縁
１８  胴縁
１９  Ｌ字形断面のガイド部材
１９’  突出する部分
２０  逆Ｔ字形断面のガイド部材
２０’  突出する部分
２１  下地材
２２  隙間
３０  欠け継ぎ孔
３１  Ｌ字形断面のガイド部材
３２  逆Ｔ字形断面のガイド部材
３３  胴縁
４１  Ｌ字形断面のガイド部材
４２  逆Ｔ字形断面のガイド部材
４３  胴縁
４４  下地材
４５  両面粘着テープ
【図１】
0004435837.tif 000002
【図２】
0004435837.tif 000003
【図３】
0004435837.tif 000004
【図４】
0004435837.tif 000005
【図５】
0004435837.tif 000006
【図６】
0004435837.tif 000007
【図７】
0004435837.tif 000008